(57)【要約】【課題】従来よりも材料費および工費の面で優れるとともに、反転対象であるブロックの構造等が限定されないブロック反転方法および該ブロック反転方法に用いられるブロック連結構造を提供すること。【解決手段】ブロック１０を反転させるブロック反転方法において、受台４０と、天秤台２０とを準備する準備工程と、天秤台２０の上にブロック１０を載置し、天秤台２０とブロック１０とを連結する載置連結工程と、天秤台２０の先端部を吊り上げて、天秤台２０およびブロック１０を直立させる直立工程と、天秤台２０の基端部と受台４０との連結を解除し、天秤台２０の基端部を吊り上げて、天秤台２０およびブロック１０を空中で反転させる反転工程と、天秤台２０およびブロック１０を基面５０上に降ろし、天秤台２０とブロック１０との連結を解除して、天秤台２０を吊り上げて天秤台２０をブロック１０から取り外す取外工程と、を備えている。【選択図】図２
2013163563.tif 000002
【特許請求の範囲】
【請求項１】
ブロックを反転させるブロック反転方法において、
基面上に配置された受台と、該受台に基端部が回転可能に連結された天秤台とを準備する準備工程と、
前記天秤台の上にブロックを載置し、前記天秤台と前記ブロックとを連結する載置連結工程と、
前記天秤台の先端部を第１の吊上げ機構によって吊り上げて、前記天秤台および前記ブロックを直立させる直立工程と、
前記天秤台の基端部と前記受台との連結を解除し、前記天秤台の基端部を第２の吊り上げ機構によって吊り上げて、前記天秤台および前記ブロックを空中で反転させる反転工程と、
前記天秤台および前記ブロックを基面上に降ろし、前記天秤台と前記ブロックとの連結を解除して、前記第１の吊り上げ機構および前記第２の吊り上げ機構によって前記天秤台を吊り上げて前記天秤台を前記ブロックから取り外す取外工程と、
を備えることを特徴とするブロック反転方法。
【請求項２】
前記反転工程と前記取外工程との間に、前記第１の吊り上げ機構および前記第２の吊り上げ機構によって前記天秤台を搬送することで、前記天秤台に連結されている前記ブロックを所定の場所に搬送する搬送工程を備えることを特徴とする請求項１に記載のブロック反転方法。
【請求項３】
請求項１または２に記載のブロック反転方法に用いられるブロック連結構造であって、
前記天秤台に設けられる天秤台側連結手段と、
前記ブロックに設けられる、前記天秤台側連結手段と連結可能に構成されたブロック側連結手段と、を有し、
前記天秤台側連結手段は、該天秤台側連結手段と連結された前記ブロック側連結手段を前記天秤台側へと引き寄せる引張機構を備えていることを特徴とするブロック連結構造。
【発明の詳細な説明】
【技術分野】
【０００１】
本発明は、ブロック反転方法および該ブロック反転方法に用いられるブロック連結構造に関し、詳しくは、複数の金属製部材を結合して構成されるブロックを組み合わせて大規模な建造物を構築する際に実施されるブロック反転方法および該ブロック反転方法に用いられるブロック連結構造に関する。
【背景技術】
【０００２】
船舶、橋梁、航空機等の大規模な建造物を構築する場合に、ブロック建造法と呼ばれる方法が採用される場合がある。例えば、船舶の場合を例に説明すれば、設計段階で船体をいくつかのブロックに分け、作業のしやすい工場内において複数の金属製部材を結合して各ブロックを製作し、それら各ブロックを船台やドックに運んで組み立てることで一つの船体を建造する。
【０００３】
上述したブロック建造法では、船台やドックに搬送された各ブロックをクレーン等で反転させることが行われる。図６は、従来のブロック反転方法を説明するための図である。この従来のブロック反転方法では、ブロック１１０の一辺部１１０ａの上端に吊りピース１１２が、その他辺部１１０ｂの下端に吊りピース１１４が結合されている。また、ブロック１１０の下辺部１１０ｃには、その一辺部１１０ａの近傍に反転用ピース１１６が結合されている。そして、図６（ａ）に示したように、吊りピース１１２とケーブル１２２とを連結し、吊りピース１１４とケーブル１２４とを連結して、不図示のクレーン等によってケーブル１２２，１２４を巻き上げることで、ブロック１１０を空中に吊り上げる。
【０００４】
そして次に、図６（ｂ）に示したように、不図示のクレーン等によってケーブル１２４だけを巻き上げてブロック１１０を直立させる。そして、図６（ｃ）に示したように、ケーブル１２２と吊ブロック１１２との連結を解除し、ケーブル１２２を反転用ピース１１６と連結する。そして最後に、不図示のクレーン等によってケーブル１２２だけを巻き上げることで、図６（ｄ）に示したように、ブロック１１０を元の状態から反転させる。
【先行技術文献】
【特許文献】
【０００５】
【特許文献１】特開昭６１−２０５５９１号公報
【発明の概要】
【発明が解決しようとする課題】
【０００６】
しかしながら、上述した従来のブロック反転方法だと、図６（ｂ）に示した状態において、ブロック１０の一辺部１１０ａに過大な応力が発生する。このため、Ａ部をアングル等の補強部材で補強する必要があり、費用面で不利であった。
【０００７】
また、ブロック１１０に結合される吊りピース１１２，１１４および反転ピース１１６は、図７に示したように複数個（例えば各４個）ずつ必要であり、ブロック１１０の全体としては多くの吊りピースおよび反転用ピースを結合する必要がある。よって、この点においても費用面で不利であった。
【０００８】
特許文献１には、二重構造ブロックにおける２枚の板部材の間にロッド先端を挿入し、該ロッドを１８０度回動させることで二重構造ブロックを反転させる反転装置が開示されている。しかしながらこの特許文献１の反転装置は、クレーン等の吊上げ装置は用いずに、ロッドの回動力だけでブロックを反転させる構造のため、大規模なブロックを反転させるには不十分である。また、反転対象のブロックも２枚の板部材が桁部材で結合された二重構造ブロックに限られる。
【０００９】
本発明は上述したような従来技術の課題に鑑みなされた発明であって、従来よりも材料費および工費の面で優れるとともに、反転対象であるブロックの構造等が限定されないブロック反転方法および該ブロック反転方法に用いられるブロック連結構造を提供することを目的としている。
【課題を解決するための手段】
【００１０】
本発明は上述したような目的を達成するためになされた発明であって、
本発明のブロック反転方法は、
ブロックを反転させるブロック反転方法において、
基面上に配置された受台と、該受台に基端部が回転可能に連結された天秤台とを準備する準備工程と、
前記天秤台の上にブロックを載置し、前記天秤台と前記ブロックとを連結する載置連結工程と、
前記天秤台の先端部を第１の吊上げ機構によって吊り上げて、前記天秤台および前記ブロックを直立させる直立工程と、
前記天秤台の基端部と前記受台との連結を解除し、前記天秤台の基端部を第２の吊り上げ機構によって吊り上げて、前記天秤台および前記ブロックを空中で反転させる反転工程と、
前記天秤台および前記ブロックを基面上に降ろし、前記天秤台と前記ブロックとの連結を解除して、前記第１の吊り上げ機構および前記第２の吊り上げ機構によって前記天秤台を吊り上げて前記天秤台を前記ブロックから取り外す取外工程と、を備えることを特徴とする。
【００１１】
このような本発明のブロック反転方法によれば、反転対象であるブロックを天秤台に載置し、ブロックと天秤台とを連結した状態で吊り上げ機構によって天秤台を吊り上げて反転させることで、ブロックを反転させる。このため、ブロックを直接吊り上げて反転させる場合のようにブロックに過大な応力が発生しないため、ブロックに対する補強は不要である。また、ブロックに対して多数の吊りピースおよび反転用ピースを結合する必要もないため、材料費および工費の面で優れている。
【００１２】
また、クレーン等の吊り上げ機構を用いてブロックを反転させるため、吊り上げ機構の能力に応じて、大規模なブロックであっても反転させることが可能である。また、天秤台を反転させることでブロックを反転させることから、反転対象であるブロックの構造および形状は特に限定されない。
【００１３】
上記発明において、前記反転工程と前記取外工程との間に、前記第１の吊り上げ機構および前記第２の吊り上げ機構によって前記天秤台を搬送することで、前記天秤台に連結されている前記ブロックを所定の場所に搬送する搬送工程を備えることができる。
【００１４】
上述した天秤台は、反転後はブロックを搬送する吊り天秤としても利用することができる。このため、このような搬送工程を備えることで、天秤台とともに反転したブロックを速やかに所定の場所まで搬送することができる。
【００１５】
また、本発明のブロック連結構造は、
上述したブロック反転方法に用いられるブロック連結構造であって、
前記天秤台に設けられる天秤台側連結手段と、
前記ブロックに設けられる、前記天秤台側連結手段と連結可能に構成されたブロック側連結手段と、を有し、
前記天秤台側連結手段は、該天秤台側連結手段と連結された前記ブロック側連結手段を前記天秤台側へと引き寄せる引張機構を備えていることを特徴とする。
【００１６】
このような本発明のブロック連結構造によれば、天秤台側連結手段が、天秤台側連結手段と連結されたブロック側連結手段を天秤台側へと引き寄せる引張機構を備えており、該引張機構によって天秤台とブロックとを互いに強く押し付けることができる。このため、反転工程において天秤台およびブロックを空中で反転させる際に、ブロックが天秤台から急激に滑ることを防止でき、ブロックと天秤台とが勢いよく衝突することで発生する衝撃音を小さくすることができる。
【発明の効果】
【００１７】
本発明によれば、天秤台を用いてブロックを反転させることから、ブロックに対して補強部材が不要であるとともに、従来のように多数の吊りピースおよび反転用ピースを結合する必要がないブロック反転方法を提供することができる。また、クレーン等の吊り上げ機構を用いて天秤台を反転させることでブロックを反転させるため、反転対象であるブロックの構造等が特に限定されないブロック反転方法を提供することができる。
【００１８】
また、本発明によれば、引張機構によって天秤台とブロックとを互いに強く押し付けることができるため、反転工程において天秤台およびブロックを空中で反転させる際に、ブロックが天秤台から急激に滑り、ブロックと天秤台とが勢いよく衝突することを防止できる。
【図面の簡単な説明】
【００１９】
【図１】本発明のブロック反転方法に用いられるブロック、天秤台、および受台を示した概略図である。
【図２】本発明のブロック反転方法を説明するための説明図である。
【図３】本発明のブロック連結構造におけるブロック側連結手段を示した概略図である。
【図４】本発明のブロック連結構造における天秤台側連結手段を示した概略図である。
【図５】本発明のブロック連結構造において、ブロック側連結手段と天秤台側連結手段とが連結された状態を示した概略図である。
【図６】従来のブロック反転方法を説明するための説明図である。
【図７】従来のブロック反転方法において、ブロックに結合される吊りピースおよび反転用ピースの配置例を示した平面図である。
【発明を実施するための形態】
【００２０】
以下、本発明の実施形態について、図面に基づいて詳細に説明する。
ただし、本発明の範囲は以下の実施形態に限定されるものではない。以下の実施形態に記載されている構成部品の寸法、材質、形状、その相対配置などは、特に記載がない限り、本発明の範囲をそれにのみ限定する趣旨ではなく、単なる説明例に過ぎない。
【００２１】
＜ブロック反転方法＞
図１は、本発明のブロック反転方法に用いられるブロック、天秤台、および受台を示した概略図である。本発明のブロック反転方法における反転対象であるブロック１０は、例えばブロック建造法によって建造される船舶の構成要素であって、金属製の板部材上に長尺の骨部材を溶接やボルト締め等によって結合することで形成される。また図１（ａ）に示したように、ブロック１０の下辺部１０ａには、後述する天秤台側連結手段３０と連結可能に構成されたブロック側連結手段１２が設けられている。
【００２２】
天秤台２０は、図１（ｂ）に示したように、上述したブロック１０が載置されるデッキ面２０ａを備えた平板状に形成されており、天秤台２０の先端部には、後述する第１の吊り上げ機構６０のケーブル６０ａが係止される吊りピース２４が結合されている。またその基端部にはヒンジ孔２８が形成されているとともに、その基端部の背面２０ｂ側には、後述する第２の吊り上げ機構６２のケーブル６２ａが係止される反転用ピース２６が結合されている。また、天秤台２０のデッキ面２０ａ側には、後述する天秤台側連結手段３０が設けられている。
【００２３】
受台４０は、図１（ｃ）に示したように、台形状の台座部材４０Ａからなり、その頂面部４０ａには上方に開放したヒンジ開口４２が形成されている。そして、上述した天秤台２０のヒンジ孔２８にはピン部材４４が挿通されており、該ピン部材４４をヒンジ開口４２の上方から挿入することで、天秤台２０の基端部が受台４０に回転可能に連結されている。
【００２４】
図２は、本発明のブロック反転方法を説明するための説明図である。
本発明のブロック反転方法では、先ず、上述した天秤台２０および受台４０を用意し、受台４０を基面５０の上に配置するとともに、上述したように、天秤台２０の基端部を受台４０に回転可能に連結する（準備工程）。そして次に、図２（ａ）に示したように、天秤台２０に上述したブロック１０をその下辺部１０ａをデッキ面２０ａに配向して載置するとともに、上述したブロック側連結手段１２と天秤台側連結手段３０とを連結させることで、天秤台２０とブロック１０とを連結する（載置連結工程）。
【００２５】
そして次に、天秤台２０の先端部の吊りピース２４にケーブル６０ａを係止し、クレーン等の第１の吊上げ機構６０によって天秤台２０の先端部を吊り上げる。そして、図２（ｂ）に示したように、天秤台２０およびブロック１０を直立させる（直立工程）。
【００２６】
そして次に、図２（ｃ）に示したように、第１の吊り上げ機構６０によって天秤台２０を上方に吊り上げて、天秤台２０の基端部と受台４０との連結を解除する。また、天秤台２０の基端部の反転用ピース２６にケーブル６２ａを係止し、クレーン等の第２の吊り上げ機構６２によって天秤台２０の基端部を吊り上げる。そして、天秤台２０およびブロック１０を空中で反転させる（反転工程）。
【００２７】
そして次に、図２（ｄ）に示したように、ブロック１０を下側にして天秤台２０およびブロック１０を基面５０の上に降ろす。そして、図２（ｅ）に示したように、天秤台２０とブロック１０との連結を解除して、第１の吊り上げ機構６０および第２の吊り上げ機構６２によって天秤台２０を吊り上げ、天秤台１０をブロック１０から取り外す（取外工程）。
【００２８】
このようにしてなる本発明のブロック反転方法によれば、ブロック１０を直接吊り上げて反転させる場合のようにブロック１０に過大な応力が発生しないため、ブロック１０に対して補強を行う必要がない。また、ブロック１０に対して多数の吊りピースおよび反転用ピースを結合する必要がないため、従来よりも費用面で優れている。
【００２９】
また、クレーン等の吊り上げ機構を用いてブロック１０を反転させるため、吊り上げ機構６０，６２の吊り上げ能力に応じて、大規模なブロック１０であっても反転させることが可能である。また、天秤台２０を反転させることでブロック１０を反転させるため、天秤台２０の上に載置でき、且つ、天秤台２０と連結可能であれば、反転対象であるブロック１０の構造および形状は特に限定されない。
【００３０】
また、上述した天秤台１０は、反転後はブロック１０を搬送する吊り天秤としても利用することができる。よって、上述した反転工程と取外工程との間に、第１の吊り上げ機構６０および第２の吊り上げ機構６２によって天秤台２０を搬送し、これにより天秤台２０に連結されているブロック１０を所定の場所に搬送することで（搬送工程）、天秤台２０とともに反転したブロック１０を速やかに所定の場所まで搬送することができる。
【００３１】
＜ブロック連結構造＞
次に、本発明のブロック連結構造について、図３〜図５を基にして説明する。図３は、本発明のブロック連結構造におけるブロック側連結手段を示した概略図、図４は、本発明のブロック連結構造における天秤台側連結手段を示した概略図、図５は、本発明のブロック連結構造において、ブロック側連結手段と天秤台側連結手段とが連結された状態を示した概略図である。なお、本発明のブロック連結構造は、上述した本発明のブロック反転方法に用いられるものである。よって、上述した実施形態と重複する構成部材等には同一の符号を付し、その詳細な説明を省略している。
【００３２】
図３に示したように、本発明のブロック連結構造のブロック側連結手段１２は、ブロック１０の下辺部１０ａに例えば溶接等によって結合されたアイプレート１２Ａから構成されている。また、このアイプレート１２Ａにはブロック側挿通孔１２ａが形成されている。
【００３３】
また図４（ａ）に示したように、本発明のブロック連結構造の天秤台側連結手段は、例えばスクリュージャッキ３０から構成されている。このスクリュージャッキ３０は、図４（ｂ）に示したように、基礎プレート３２Ｂと、天秤台側挿通孔３２ａが形成された２枚の縦プレート３２Ａ，３２Ａとからなり、基礎プレート３２Ｂの両端に縦プレート３２Ａ，３２Ａが夫々結合されることで構成されたアイプレート３２と、アイプレート３２にその先端が結合されたネジ軸３４と、ジャッキ部３５と、ネジ軸３４を進退自在に収容するネジ軸カバー３６とから構成されている。そして、ジャッキ部３５をネジ軸３４に対して回転させることで、ネジ軸３４が進退するように構成されている。
【００３４】
これら本発明のブロック連結構造を構成するアイプレート１２Ａおよびスクリュージャッキ３０は、図５に示すように連結される。すなわち、図５（ｂ）に示したように、スクリュージャッキ３０は、天秤台２０を構成する２枚のプレート部材２０Ａ，２０Ａの間に配置されるとともに、そのネジ軸カバー３６の先端が、棒状の固定軸２５ａと結合される。該固定軸２５ａは、プレート部材２０Ａ，２０Ａに形成されている開口２５，２５に挿通されることで、天秤台２０に固定されている。そして、図５（ｂ）に示したように、スクリュージャッキ３０の２枚の縦プレート３２Ａ，３２Ａの間に上述したアイプレート１２Ａを配置し、その天秤台側挿通孔３２ａおよびブロック側挿通孔１２ａに連結ピン２９を挿通することで、アイプレート１２Ａとスクリュージャッキ３０とが連結されている。
【００３５】
また、アイプレート１２Ａとスクリュージャッキ３０とが連結されている状態で、スクリュージャッキ３０のジャッキ部３５をネジ軸３４に対して回転させることで、アイプレート１２Ａを天秤台２０側へと引き寄せ、ブロック１０の下辺部１０ａと天秤台２０のフランジ部２１とを互いに強く押し付けることができる。すなわち、このジャッキ部３５が、本発明における引張機構を構成している。
【００３６】
このように構成される本発明のブロック連結構造によれば、天秤台側連結手段（スクリュージャッキ３０）が、天秤台側連結手段と連結されたブロック側連結手段（アイプレート１２Ａ）を天秤台２０側へと引き寄せる引張機構（ジャッキ部３５）を備えており、該引張機構によって天秤台２０とブロック１０とを互いに強く押し付けることができるため、上述した反転工程において、天秤台２０およびブロック１０を空中で反転させる際に、ブロック１０が天秤台２０から急激に滑ることを防止でき、ブロック１０と天秤台２０とが勢いよく衝突することで発生する衝撃音を小さくすることができる。
【００３７】
以上、本発明の好ましい形態について説明したが、本発明は上記の形態に限定されるものではなく、本発明の目的を逸脱しない範囲での種々の変更が可能である。
【産業上の利用可能性】
【００３８】
本発明は、船舶、橋梁、航空機等の大規模な鋼製建造物をブロック建造法によって構築する際に実施されるブロック反転方法および該ブロック反転方法に用いられるブロック連結構造として好適に採用することができる。
【符号の説明】
【００３９】
１０            天秤台
１２            ブロック側連結手段
１２Ａ          アイプレート（ブロック側連結手段）
１２ａ          ブロック側挿通孔
２０            天秤台
２０Ａ          プレート部材
２０ａ          デッキ面
２４            吊りピース
２５ａ          固定軸
２６            反転用ピース
２８            ヒンジ孔
２９            連結ピン
３０            スクリュージャッキ（天秤台側連結手段）
３２            アイプレート
３２Ａ          縦プレート
３２Ｂ          基礎プレート
３２ａ          天秤台側挿通孔
３４            ネジ軸
３５            ジャッキ部
３６            ネジ軸カバー
４０            受台
４０Ａ          台座部材
４０ａ          頂面部
４２            ヒンジ開口
４４            ピン部材
５０            基面
６０            第１の吊り上げ機構
６２            第２の吊り上げ機構
６０ａ，６２ａ  ケーブル
【図１】
2013163563.tif 000003
【図２】
2013163563.tif 000004
【図３】
2013163563.tif 000005
【図４】
2013163563.tif 000006
【図５】
2013163563.tif 000007
【図６】
2013163563.tif 000008
【図７】
2013163563.tif 000009